(57)【要約】【課題】従来のエレベータの終点スイッチでは、一般にカゴと昇降路壁の間隙は狭いため作業するに極めて困難な場合が多く、また終点スイッチの設置場所によっては、作業者と終点スイッチの作動点とが離れていて、作業者が身を乗り入れても届かず、終点スイッチの正確な位置決めができないという問題があった。【解決手段】エレベータの昇降路に設置されたスイッチボックス１と、スイッチボックス１に取着され、カゴ７が接近すると作動するスイッチユニット２と、調整ネジ３を回動してスイッチユニット２を摺動してカゴ昇降方向の位置調整をする位置調整ユニットとで終点スイッチを構成し、スイッチユニット２はスイッチボックス１にカゴ昇降方向へ可動に取着したので、終点スイッチの位置を調整ネジ３で調整できるため終点スイッチが正確に作動するのでエレベータの安全が確保できる。【選択図】          図１
2004284755.tif 000002
【特許請求の範囲】
【請求項１】
エレベータの昇降路に設置され、カゴが接近すると作動するスイッチユニットと、
回動可能に設けられた位置調整部材の回動に応じて前記スイッチユニットの位置をカゴ昇降方向に調整をする位置調整ユニットと、を有し、
前記スイッチユニットは昇降路内に、カゴ昇降方向へ可動に取着されていることを特徴とするエレベータの終点スイッチ。
【請求項２】
エレベータの昇降路に設置されたスイッチボックスを有し、前記スイッチユニットは前記スイッチボックスに取着され、
前記位置調整部材はネジであり、
前記スイッチユニットは前記スイッチボックスに、カゴ昇降方向へ可動に取着されていることを特徴とする請求項１に記載のエレベータの終点スイッチ。
【請求項３】
前記ネジは磁性体で、先端部が磁石で軸部が屈曲自在であるフレキシブル工具で、前記ネジを回動することを特徴とする請求項２に記載のエレベータの終点スイッチ。
【請求項４】
前記スイッチユニットと前記スイッチボックスの少なくとも一方は前記カゴの昇降方向を長径とする長孔を有し、前記スイッチユニットと前記スイッチボックスとを前記長孔を貫通して取着する取着手段を有することを特徴とする請求項２または３に記載のエレベータの終点スイッチ。
【請求項５】
前記取着手段は要時に前記スイッチユニットを前記スイッチボックスに固定することを特徴とする請求項４に記載のエレベータの終点スイッチ。
【請求項６】
エレベータの昇降路に設置されたスイッチボックスを有し、前記スイッチユニットは前記スイッチボックスに取着され、
前記位置調整部材は歯車であり、
前記位置調整ユニットは、前記スイッチユニットと前記スイッチボックスとの取着部位に設けられた、前記歯車、前記歯車に係合するラックギア、および、前記歯車の回動手段を有し、
前記歯車を回動して前記スイッチユニットのカゴ昇降方向の位置を調整することを特徴とする請求項１に記載のエレベータの終点スイッチ。
【発明の詳細な説明】
【０００１】
【発明の属する技術分野】
本発明は、エレベータの安全装置として設けられる終点スイッチに関する。
【０００２】
【従来の技術】
エレベータにはカゴの行き過ぎを防止するため、昇降路内の最上部と最下部に終点スイッチが設けられている。終点スイッチは、確実に動作できるように、設置位置を正確に決める必要がある。その際には、作業者がエレベータのカゴの天井に乗ったり、昇降路のピットに降りたりして、終点スイッチを設置・点検していた（例えば、特許文献１参照）。
【０００３】
【特許文献１】
特開平１１−３３５０１９号公報。
【０００４】
【発明が解決しようとする課題】
上記のような、従来のエレベータの終点スイッチでは、一般にカゴと昇降路壁の間隙は狭いため作業するに極めて困難な場合が多く、また終点スイッチの設置場所によっては、作業者と終点スイッチの作動点とが離れていて、作業者が身を乗り入れても届かず、終点スイッチの正確な位置決めができないという問題があった。
【０００５】
本発明は、かかる問題点を解消するためになされたもので、据付位置の調整が容易なエレベータの終点スイッチを提供することを目的とする。
【０００６】
【課題を解決するための手段】
この発明にかかるエレベータの終点スイッチは、エレベータの昇降路に設置され、カゴが接近すると作動するスイッチユニットと、回動可能に設けられた位置調整部材の回動に応じてスイッチユニットの位置をカゴ昇降方向に調整をする位置調整ユニットとを有し、スイッチユニットは昇降路内に、カゴ昇降方向へ可動に取着されているものである。
【０００７】
【発明の実施の形態】
実施の形態１．
図１は、本発明によるエレベータの終点スイッチの実施の形態１の側面図、図２は図１のＡ−Ａ断面図である。図１および図２において、スイッチボックス１は、昇降路方向を長径とする長孔１ａを有している。スイッチユニット２はネジ溝を有す座金２ａを有し、通常は長孔１ａを貫通してスイッチユニット２の座金２ａと重なり合ってボルト５で締結されて、固定されている。すなわち、ボルト５はスイッチボックス１をスイッチユニット２に固定する固定手段となっている。
【０００８】
また、スイッチユニット２には、先端がローラー２ｃであるレバー２ｂがレバー軸２ｄで回転可能に取着され、下部には取付金６が取着されている。レバー２ｂは外力が無いときは図１に示すように腕を鉛直上方に向けローラ２ｃを突き出している。取付金６の下方には、ネジ座８がスイッチボックス１に取着され、このネジ座８を貫通するネジ穴にはネジ溝が形成されており、ネジ座８を貫通した調整ネジ３は案内溝６ｂに案内されてスイッチユニット２に当接している。
【０００９】
レバー２ｂは外力が無い通常時は図１に示すように腕を鉛直上方に向いており、この状態ではスイッチボックス２はオン状態である。ここで、ローラー２ｃに左方向から物体が接触し押動された場合、レバー２ｂは時計回り方向に回動し、スイッチボックス２はオフ状態になる。この物体がローラー２ｃから離れると、図示しない付勢手段によりレバー２ｂは再び腕を鉛直上方に向き、スイッチボックス２はオン状態に戻る。このようにして、スイッチボックス２は近傍に物体が有るか否かを検出する。
【００１０】
また、ボルト５を外さずに緩めると、スイッチユニット２はボルト５が長孔１ａ内を動ける長径の長さだけ上下方向に動くことができるようになる。この状態で調整ネジ３を締める方向に回すと、ネジ座８のネジ穴にはネジが切ってあるので、ネジ座８とスイッチユニット２との間の調整ネジ３の長さが増大して、スイッチユニット２は上方向に押上げられる。逆に調整ネジ３を緩める方向に回すと、ネジ座８とスイッチユニット２との間の調整ネジ３の長さが減少して、スイッチユニット２は自重で下方向に動く。このようにして、ボルト５を外さずに緩めた後に調整ネジ３を回動してスイッチユニット２の位置を上下方向に調整することができ、調整ネジ３は位置調整部材であるとともに、位置調整ユニットに対応している。また、調整後に、ボルト５を締結すればスイッチユニット２の位置は固定される。
【００１１】
本実施の形態では、スイッチボックス１とスイッチユニット２の座金２ａとをボルト５で固定したが、他のネジで取着してもよく、またネジを用いずに針金などで緊縛して取着してもよく、これを限定するものではない。また、座金２ａが長孔１ａを有し、スイッチボックス１がネジ穴を有す構成でもよい。また長孔１ａを有さず、スイッチボックス１と座金２ａとが係合する構造をとり、上下にスライドする構成でもよい。
【００１２】
また、本実施の形態では、スイッチユニット２に取付金６が取着された例を示したが、スイッチユニット２に取付金６が一体となり、スイッチユニット２の底面に案内溝６ｂが形成されていてもよく、これを限定しない。また、ネジ座８とスイッチボックス１は一体に構成されていてもよく、さらにネジ座８の形状も限定しない。また、図示しないが、ネジ座８にはネジ溝を形成せず、案内溝６ｂまたはスイッチユニット２の底面にネジ溝を形成して調整ネジ３が螺合する構成も可能である（但し、この場合は、調整ネジ頭３ｂの水平位置を保持する手段が必要）。また、図示しないが、ネジ座８をスイッチユニット２の上部に設置し、取付金６をスイッチユニット２の上面に設置し、上面から調整ネジ３を挿入した構成も可能で、この場合も、ネジ座８にネジ溝を形成した貫通穴を形成して調整ネジ３を螺合し、調整ネジ３の先端が取付金６またはスイッチユニット２の上面を摺動する構成（但し、この場合は、スイッチユニット２を下支えする手段が必要）、および、ネジ座８にネジ溝のない貫通穴を形成し、取付金６またはスイッチユニット２の上面にネジ溝を形成した貫通穴を形成し、ネジ座８を調整ネジ３が貫通し、取付金６またはスイッチユニット２の上面に螺合する構成が可能であり、これを限定するものではない。
【００１３】
図３は、本発明によるエレベータの終点スイッチを備えたエレベータシステムの昇降路で終点スイッチにカゴが接近した状態の側面図である。図中、図１と同一符号は同一、または相当部分を示し説明を省略する。駆動カム４はカゴの側方に取着され、剛体で形成されている。図３ではカゴが終点スイッチ接近しているため、駆動カム４もまた終点スイッチに接近し、ローラー２ｃを押しており、そのため前述のようにレバー２ｂは、通常状態より時計回りに回転しており、終点スイッチはオフ状態にある。
【００１４】
駆動カム４は上端・下端とも、終点スイッチから離れるように傾斜しており、例えば図３の状態からカゴが下降すると図中上側の終点スイッチは、駆動カム４の上部をつたい、徐々に反時計回りに回転し、レバー２ｂは鉛直方向に戻り、終点スイッチはオン状態に戻る。また、駆動カム４が終点スイッチ近くに接近するときは、終点スイッチは、駆動カム４の端部をつたい、徐々に時計回りに回転してオフ状態になる。このように終点スイッチはカゴの接近を検知する。本実施の形態では、図１の状態でスイッチボックス２はオン状態であるとしたが、この状態をオフ状態としたスイッチボックス２を用いた構成も可能であり、この場合はカゴが終点スイッチ接近すると終点スイッチはオン状態になる。
【００１５】
上述の説明からも分かるように、終点スイッチがカゴの上下の位置を精度良く検出するためには、終点スイッチ自身の上下の位置も精度良く設置する必要がある。そのため、エレベータの点検時には、終点スイッチの設置位置を点検し、必要に応じて調整する必要がある。
【００１６】
図４にエレベータの下端に設置した終点スイッチの調整作業現場の上面図を示す。図中、図１および図３と同一符号は同一、または相当部分を示し説明を省略する。図４でカゴ７は最下端のピット付近まで降りており、作業者３１は、ピットに脚立３２を立てて、カゴ枠１２およびガイドレール１３周辺に設置されたスイッチボックス１に取着されたスイッチユニット２を調整する。昇降路内では釣合い錘３０の移動空間にはアクセスしないので、実質的な作業空間は大変狭くなっており、一般に作業性は良好とはいい難い。
【００１７】
図５にエレベータの上端に設置した終点スイッチの調整作業現場の測面図を示す。図中、図１および図３と同一符号は同一、または相当部分を示し説明を省略する。図５ではカゴ７は昇降路天井３３付近まで達し、これ以上は、上昇できないように終点スイッチを調整している。一般に昇降路の最下部以外での作業は作業者３１はカゴ７の上面に乗って行うため、カゴ上安全手摺３４が設置されている。終点スイッチはカゴの位置を複数点検出するために、１つの駆動カム４に対して複数個のスイッチが順次係合するように設けられ、これらの終点スイッチのオン・オフの組合せで、カゴの位置が検出できるようになっている。例えば図５で、カゴが上昇しているとすると、上から２番目の終点スイッチはこれからオンからオフへ変わる。この終点スイッチのオン・オフが切替わる位置を臨界点と呼ぶことにする。逆にいえば、終点スイッチのオン・オフ切替わりを検出したときにカゴは終点スイッチの臨界点から見て一定の位置に来ていることになる。そこで、あらかじめ位置を検出したい位置にカゴを停止させ、その状態で上から２番目の終点スイッチを臨界点に達する位置に微調整することにより、この位置にカゴが来たことを検出するように２番目の終点スイッチを設定できる。すなわち、図５の終点スイッチのうち２番目の終点スイッチはカゴ７が臨界点に達したところで、作業者３１が直接アクセスできる範囲にあるので、ボルト５を弛めてから調整ネジ３でスイッチユニット２の上下を調整してから再びボルト５を締めるという手順で位置を調整できる。しかし、図５で、上から３番目の終点スイッチがこれからオフからオンに変わろうとしている臨界点を作業者が直接調整するのは難しい。
【００１８】
図６は作業者がカゴの上面に乗って、臨界点で離れた場所にある終点スイッチの調整作業をおこなっている現場の測面図である。図中、図５と同一符号は同一、または相当部分を示し説明を省略する。図６では、下方に設置されたスイッチユニットを上方のものと区別するために、スイッチユニット２２、２３、２４とした。作業者３１は、フレキシブル工具１０を使用して、遠隔のスイッチユニット２３の調整ネジ３を回動して作動する位置に調整している。
【００１９】
図７にフレキシブル工具１０の一例を示す。磁性を有すボックスレンチ１０ｅと把手１０ｃとは褶曲可能な連動ワイヤ１０ｂで連結されている。連動ワイヤ１０ｂの周囲はフレキシブルチューブ１０ｃが覆って保護している。把手１０ｃを回しやすいように端部にはハンドル１０ｄが取着されている。
【００２０】
図８はフレキシブル工具１０の使用図である。ボックスレンチ１０ｅには、磁性体の係合用ボトル９の一端を係合し、さらにこの係合用ボトル９のもう一端を調整ネジ頭３ａに係合してやれば、ハンドル１０ｄに連動して調整ネジ３を回動することができる。このように、作業者３１とスイッチユニット２が離れていても、フレキシブル工具１０を使用してスイッチユニット２の上下の位置を調整できる。
【００２１】
図９に作業者３１が離れたスイッチユニット２３の位置の調整を行う手順を示す。まず、Ｓ１１０で調整したいスイッチユニット２３に作業者３１がアクセスできる位置にカゴ７を移動する。次にＳ１２０で、スイッチユニット２３のボルト５を弛めてスイッチユニット２３を上下方向に可動な状態にする。次に、Ｓ１３０で、フレキシブル工具１０のボックスレンチ１０ｅと調整ネジ頭３ａとを係合用ボトル９で係合させる。ボックスレンチ１０ｅが磁性を有しているので、磁性体でる係合ボルトと調整ネジ頭３ａは外力を加えなくても係合した状態を保つ。次に、Ｓ１４０で、スイッチユニット２３が作動する臨界点にカゴ７を移動する。次に、Ｓ１５０で、フレキシブル工具１０のハンドル１０ｄを回動して、目視やスイッチユニット２３の電気応答を確認しながらスイッチユニット２３の上下位置を調節する。次に、Ｓ１６０で、スイッチユニット２３に作業者３１がアクセスできる位置にカゴ７を移動する。次に、Ｓ１７０で、スイッチユニット２３のボトル５を締めて、スイッチユニット２３をスイッチボックス１に固定する。最後に、Ｓ１８０で、調整ネジ頭３ａから係合ボルト９を外してボックスレンチ１０ｅとの係合を外して調整作業を終了する。
【００２２】
以上のように、本実施の形態のエレベータの終点スイッチは、エレベータの昇降路に設置され、カゴ７が接近すると作動するスイッチユニット２と、回動可能に設けられた位置調整部材の回動に応じてスイッチユニット２の位置をカゴ昇降方向に調整をする位置調整ユニットとを有し、スイッチユニット２は昇降路内に、カゴ昇降方向へ可動に取着されているため、終点スイッチの位置を調整でき、終点スイッチが正確に作動するので、エレベータの安全が確保できる。
【００２３】
また、エレベータの昇降路に設置されたスイッチボックス１と、スイッチボックス１に取着され、カゴ７が接近すると作動するスイッチユニット２と、調整ネジ３を回動して移動する位置調整部材を有し、位置調整部材が前記スイッチユニット２を摺動してカゴ昇降方向の位置調整をする位置調整ユニットとを有し、スイッチユニット２はスイッチボックス１に、カゴ昇降方向へ可動に取着されているため、終点スイッチの位置を調整ネジ３で調整でき、終点スイッチが正確に作動するので、エレベータの安全が確保できる。
【００２４】
また、スイッチユニット２をスイッチボックス３に固定するボルト５を有すため、位置の調整後のスイッチユニット２をスイッチボックス１に固定できるので、エレベータの運行中にスイッチユニットの位置ずれが生じにくい。
【００２５】
また、ネジ３は磁性体で、先端部が磁石で軸部が屈曲自在であるフレキシブル工具１０で、ネジ３を回動するため、終点スイッチの作動点と作業者の位置が離れていてもスイッチユニット２の位置が調節できるので、確実に終点スイッチが作動するように位置を調節できる。
【００２６】
また、スイッチユニット２とスイッチボックス１の少なくとも一方はカゴ７の昇降方向を長径とする長孔１ａを有し、スイッチユニット２とスイッチボックス１とを長孔１ａを貫通するボルト５で取着したので、ボルト５の締めと弛めにより、スイッチユニット２の固定およびカゴ７の昇降方向への可動化の切換えを容易に行える。
実施の形態２．
図１０は、本発明によるエレベータの終点スイッチの実施の形態２の側面図、図１１は図１０の斜視図である。図中、図１と同一符号は同一、または相当部分を示し説明を省略する。取付金６Ａは、Ｖ字型の部材で一面をスイッチユニット２に接して取着されている。また、ネジ座８Ａは調整ネジ３Ａが貫通しネジ溝を持つネジ穴を有し、調整ネジ３Ａがスイッチユニット２の下方で、水平方向に向くようにスイッチボックス１に取着されている。調整ネジ３Ａの先端には取付金６Ａのスイッチユニット２に接していない方の面と係合する係合溝１１Ａを有す係合金具１１が取着されている。
【００２７】
本実施の形態では、取付金６Ａと係合金具１１が係合溝１１Ａを介して当接する例を示したが、他の形状で係合してもよく、また２面が接しても良く、これを限定しない。
【００２８】
本実施の形態の終点スイッチは図１０、１１のように構成したので、ボルト５を開放して、スイッチユニット２を上下に可動にした状態で、調整ネジを回動して係合金具１１を図１０の左方向に押し込むと、係合金具１１に係合する取付金６Ａが押上げられ、スイッチユニット２は上方向に動き、逆に、係合金具１１を図１０の右方向に引き込むと、スイッチユニット２は自重で下方向に動くので、調整ネジ３Ａを回動して、スイッチユニット２の上下方向の位置を調整できる。
【００２９】
以上のように、本実施の形態のエレベータの終点スイッチは、エレベータの昇降路に設置されたスイッチボックス１と、スイッチボックス１に取着され、カゴ７が接近すると作動するスイッチユニット２と、ネジ３Ａを回動して移動する位置調整部材１１を有し、位置調整部材１１が前記スイッチユニット２を摺動してカゴ昇降方向の位置調整をする位置調整ユニットとを有し、スイッチユニット２はスイッチボックス１に、カゴ昇降方向へ可動に取着されているため、終点スイッチの位置を調整でき、終点スイッチが正確に作動するので、エレベータの安全が確保できる。
実施の形態３．
図１２は、本発明によるエレベータの終点スイッチの実施の形態３の部分図である。図中、図１と同一符号は同一、または相当部分を示し説明を省略する。スイッチボックスは上下方向を移動方向とするラックギア１Ａを有し、スイッチユニット２の座金２ａにはラックギア１Ａと係合するギア３Ｂが取着されている。このように構成したので、例えばネジ機構などによるギア３Ｂの回動手段（図示せず）を作動しギア３Ｂを回動してギア３Ｂが取着されたスイッチユニット２の上下の位置を容易に調節できる。
【００３０】
以上のように、本実施の形態のエレベータの終点スイッチは、エレベータの昇降路に設けられたスイッチボックス１と、スイッチボックス１に取着され、カゴ７が接近すると作動するスイッチユニット２と、を有し、スイッチユニット２とスイッチボックス１との取着部位は、ラックギア１Ａ、ラックギアに係合する歯車３Ｂ、および、歯車３Ｂの回動手段を有し、歯車３Ｂを回動してスイッチユニット２のカゴ昇降方向の位置を調節できるため、終点スイッチが正確に作動し、エレベータの安全が確保できる。
【００３１】
【発明の効果】
以上のように、この発明にかかるエレベータの終点スイッチは、エレベータの昇降路に設置され、カゴが接近すると作動するスイッチユニットと、回動可能に設けられた位置調整部材の回動に応じてスイッチユニットの位置をカゴ昇降方向に調整をする位置調整ユニットとを有し、スイッチユニットは昇降路内に、カゴ昇降方向へ可動に取着されているため、スイッチユニットのカゴ昇降方向の位置を調節でき、終点スイッチが正確に作動するのでエレベータの安全が確保できる。
【図面の簡単な説明】
【図１】本発明の実施の形態１によるエレベータの終点スイッチの側面図である。
【図２】本発明の実施の形態１によるエレベータの終点スイッチの断面図である。
【図３】本発明の実施の形態１によるエレベータの終点スイッチを含む昇降路の側面図である。
【図４】本発明の実施の形態１によるエレベータの終点スイッチの調整作業図である。
【図５】本発明の実施の形態１によるエレベータの終点スイッチの調整作業図である。
【図６】本発明の実施の形態１によるエレベータの終点スイッチの調整作業図である。
【図７】本発明の実施の形態１によるエレベータの終点スイッチの調整工具の図である。
【図８】本発明の実施の形態１によるエレベータの終点スイッチの調整工具の拡大図である。
【図９】本発明の実施の形態１によるエレベータの終点スイッチの位置調整手順のフローチャートである。
【図１０】本発明の実施の形態２によるエレベータの終点スイッチの側面図である。
【図１１】本発明の実施の形態２によるエレベータの終点スイッチの斜視図である。
【図１２】本発明の実施の形態３によるエレベータの終点スイッチの部分側面図である。
【符号の説明】
１  スイッチボックス、１ａ  長孔、２  スイッチユニット、２ａ  座金、２ｂレバー、２ｃ  ローラー、２ｄ  レバー軸、３  調整ネジ、３ｂ  調整ネジ頭、５  固定ボルト、６  取付金、６ｂ  案内溝、８  ネジ座
【図１】
2004284755.tif 000003
【図２】
2004284755.tif 000004
【図３】
2004284755.tif 000005
【図４】
2004284755.tif 000006
【図５】
2004284755.tif 000007
【図６】
2004284755.tif 000008
【図７】
2004284755.tif 000009
【図８】
2004284755.tif 000010
【図９】
2004284755.tif 000011
【図１０】
2004284755.tif 000012
【図１１】
2004284755.tif 000013
【図１２】
2004284755.tif 000014